(57)【要約】【課題】互いに機能の異なる複数種類の機器の制御への適用が容易な制御装置、初期設定方法およびプログラムを提供する。【解決手段】制御装置１００は、ベース部材３と、複数種類の機能を有する制御ユニット１と、後面が開放された扁平な箱状であり後面側の端部２２ａがベース部材３に固定された状態で制御ユニット１が内側に配置される筐体２と、を備える。そして、制御ユニット１は、後面側がベース部材３に固定された第１サブ制御基板１１と、第１サブ制御基板１１の前面側に実装された２つの釦スイッチ１４、１５と、２つの釦スイッチ１４、１５の押下状態に応じて制御ユニット１の音声通話機能と無線通信機能とのそれぞれを有効な状態と無効な状態とのいずれかに切り替える機能切替部と、を有する。【選択図】図１
2019201267.tif 000002
【特許請求の範囲】
【請求項１】
ベース部材と、
複数種類の機能を有する制御ユニットと、
一面が開放された箱状であり前記一面側の端部が前記ベース部材に固定された状態で前記制御ユニットが内側に配置される筐体と、を備え、
前記制御ユニットは、
厚さ方向の一面側が前記ベース部材または前記筐体に固定された制御基板と、
前記制御基板の厚さ方向における他面側に実装された少なくとも１つの釦スイッチと、
前記少なくとも１つの釦スイッチのオンオフ状態に応じて前記制御ユニットの複数種類の機能のうちの少なくとも１つの機能を有効な状態と無効な状態とのいずれかに切り替える機能切替部と、を有する、
制御装置。
【請求項２】
前記制御基板は、厚さ方向の一面側が前記ベース部材に固定され、
前記筐体における前記少なくとも１つの釦スイッチのいずれかに対向する位置に、前記筐体が前記ベース部材に固定された状態で先端部が前記少なくとも１つの釦スイッチのいずれかを押下する突起が設けられている、
請求項１に記載の制御装置。
【請求項３】
前記制御基板は、厚さ方向の一面側が前記ベース部材に固定された第１サブ制御基板と、厚さ方向の一面側が前記筐体に固定された第２サブ制御基板と、を有し、
前記第１サブ制御基板と前記第２サブ制御基板とのいずれか一方の厚さ方向における他面側に、前記少なくとも１つの釦スイッチが実装され、他方の厚さ方向における他面側の前記少なくとも１つの釦スイッチのいずれかに対向する位置に、前記筐体が前記ベース部材に固定された状態で先端部が前記少なくとも１つの釦スイッチのいずれかを押下する突起が設けられている、
請求項１に記載の制御装置。
【請求項４】
前記制御基板は、厚さ方向の一面側が前記筐体に固定され、
前記ベース部材における前記少なくとも１つの釦スイッチのいずれかに対向する位置に、前記筐体が前記ベース部材に固定された状態で先端部が前記少なくとも１つの釦スイッチのいずれかを押下する突起が設けられている、
請求項１に記載の制御装置。
【請求項５】
ベース部材と、複数種類の機能を有する制御ユニットと、一面が開放された箱状であり前記一面側の端部が前記ベース部材に固定された状態で前記制御ユニットが内側に配置される筐体と、を備える制御装置の初期設定方法であって、
厚さ方向の一面側が前記ベース部材または前記筐体に固定された前記制御ユニットの制御基板の厚さ方向における他面側に実装された少なくとも１つの釦スイッチのオンオフ状態に応じて前記制御ユニットの複数種類の機能のうちの少なくとも１つの機能を有効な状態と無効な状態とのいずれかに切り替えるステップを含む、
初期設定方法。
【請求項６】
コンピュータを、
複数種類の機能を有する制御ユニットの厚さ方向の一面側がベース部材または筐体に固定された制御基板の厚さ方向における他面側に実装された少なくとも１つの釦スイッチのオンオフ状態に応じて前記制御ユニットの複数種類の機能のうちの少なくとも１つの機能を有効な状態と無効な状態とのいずれかに切り替える機能切替部、
として機能させるプログラム。
【発明の詳細な説明】
【技術分野】
【０００１】
本発明は、制御装置、初期設定方法およびプログラムに関する。
【背景技術】
【０００２】
リモコン本体と、リモコン本体の一面を覆う形状を有する着せ替えプレートと、を備える給湯リモコンが提案されている（例えば特許文献１参照）。この給湯リモコンでは、着せ替えプレートが磁石によりリモコン本体に保持されており、着せ替えプレートの交換が容易にできるというものである。
【先行技術文献】
【特許文献】
【０００３】
【特許文献１】特開２０１５−０６８５８８号公報
【発明の概要】
【発明が解決しようとする課題】
【０００４】
ところで、リモコンとして、例えば空気調和機、照明装置、インターホン等の複数種類の家電製品に適用可能な汎用性を有するリモコンが要請されている。しかしながら、これらの家電製品は各々異なる機能を有するためそれに応じてリモコンの機能も変更する必要が生じる場合がある。特許文献１に記載された技術では、着せ替えプレートを変更することにより操作釦の配置、音声通話用の開口部の配置等のリモコンの外観仕様を変更することができるが、リモコンの機能自体を変更することができない。従って、リモコンを機能の異なる他の種類の家電製品に適用しようとする場合、新たにリモコンを準備する必要がある。
【０００５】
本発明は、上記事由に鑑みてなされたものであり、互いに機能の異なる複数種類の機器の制御への適用が容易な制御装置、初期設定方法およびプログラムを提供することを目的とする。
【課題を解決するための手段】
【０００６】
上記目的を達成するために、本発明に係る制御装置は、
ベース部材と、
複数種類の機能を有する制御ユニットと、
一面が開放された箱状であり前記一面側の端部が前記ベース部材に固定された状態で前記制御ユニットが内側に配置される筐体と、を備え、
前記制御ユニットは、
厚さ方向の一面側が前記ベース部材または前記筐体に固定された制御基板と、
前記制御基板の厚さ方向における他面側に実装された少なくとも１つの釦スイッチと、
前記少なくとも１つの釦スイッチのオンオフ状態に応じて前記制御ユニットの複数種類の機能のうちの少なくとも１つの機能を有効な状態と無効な状態とのいずれかに切り替える機能切替部と、を有する。
【発明の効果】
【０００７】
本発明によれば、機能切替部が、少なくとも１つの釦スイッチのオンオフ状態に応じて制御ユニットの複数種類の機能のうちの少なくとも１つの機能を有効な状態と無効な状態とのいずれかに切り替える。これにより、制御装置に要求される機能に応じて、筐体、ベース部材または制御基板に、筐体がベース部材に固定された状態で少なくとも１つの釦スイッチを押下する構造を設けることにより、複数種類の機能の中から制御装置に要求される機能を選択的に有効にすることができる。従って、筐体、ベース部材等を構造の異なるものに変更するだけで、互いに機能の異なる複数種類の機器の制御に容易に適用することができる。
【図面の簡単な説明】
【０００８】
【図１】本発明の実施の形態に係る制御装置の斜視図
【図２】実施の形態に係る制御ユニットおよびベース部材の斜視図
【図３】実施の形態に係る制御ユニットのブロック図
【図４】（Ａ）は実施の形態に係る筐体の斜視図、（Ｂ）は実施の形態に係る制御装置について筐体をベース部材に固定した場合の断面図
【図５】（Ａ）は実施の形態に係る筐体の斜視図、（Ｂ）は実施の形態に係る制御装置について他の筐体をベース部材に固定した場合の断面図
【図６】（Ａ）は実施の形態に係る筐体の斜視図、（Ｂ）は実施の形態に係る制御装置について他の筐体をベース部材に固定した場合の断面図
【図７】（Ａ）は実施の形態に係る筐体の斜視図、（Ｂ）は実施の形態に係る制御装置について他の筐体をベース部材に固定した場合の断面図
【図８】実施の形態に係る初期設定処理の流れの一例を示すフローチャート
【図９】変形例に係る筐体および制御ユニットの斜視図
【図１０】変形例に係る筐体および制御ユニットの斜視図
【発明を実施するための形態】
【０００９】
以下、本発明の実施の形態に係る照明システムについて、添付図面を参照しながら説明する。本実施の形態に係る制御装置は、ベース部材と、複数種類の機能を有する制御ユニットと、一面が開放された箱状であり一面側の端部がベース部材に固定された状態で制御ユニットが内側に配置される筐体と、を備える。制御ユニットは、厚さ方向の一面側がベース部材に固定された制御基板と、制御基板の厚さ方向における他面側に実装された２つの釦スイッチと、２つの釦スイッチの押下状態に応じて制御ユニットの複数種類の機能のうちの音声通話機能と無線通信機能とを有効な状態と無効な状態とのいずれかに切り替える機能切替部と、を有する。そして、制御装置は、筐体がベース部材に固定された状態における２つの釦スイッチそれぞれの押下状態に応じて、制御ユニットの音声通話機能と無線通信機能とのそれぞれを有効な状態と無効な状態とに切り替える。
【００１０】
図１に示すように、本実施の形態に係る制御装置１００は、制御ユニット１と筐体２とベース部材３とを備える。以下、適宜図１の＋Ｙ方向側を前面側、−Ｙ方向側を後面側として説明する。ベース部材３は、図２に示すように、矩形板状であり、壁材を含む造営材に螺子、接着材等の固定部材を介して取り付けられる。ベース部材３の材料は、金属、樹脂等である。
【００１１】
図１に戻って、制御ユニット１は、制御基板１０と、表示モジュール１２と、を備える。制御基板１０は、後面側がベース部材３に固定された第１サブ制御基板１１と、前面側が筐体２に固定された第２サブ制御基板６と、を有する。また、制御ユニット１は、図２に示すように、第１サブ制御基板１１の前面に実装された２つの釦スイッチ１４、１５と、第１サブ制御基板１１に設けられた配線（図示せず）に接続されたコネクタ１６と、を有する。表示モジュール１２は、例えば液晶ディスプレイであり、配線（図示せず）を介して第１サブ制御基板１１に接続されている。また、制御ユニット１は、図３に示すように、ＭＰＵ（Micro Processing Unit）１０１と主記憶部１０２と補助記憶部１０３と有線通信インタフェース１０４と表示インタフェース１０５と操作部１０６と無線モジュール１０７とを有する。更に、制御ユニット１は、音声通話インタフェース１０８と釦スイッチインタフェース１０１０と各部を相互に接続するバス１０９とを有する。これらは第１サブ制御基板１１または第２サブ制御基板６に分散して実装されている。主記憶部１０２は、揮発性メモリであり、ＭＰＵ１０１の作業領域として用いられる。補助記憶部１０３は、磁気ディスク、半導体フラッシュメモリ等の不揮発性メモリであり、制御ユニット１の各種機能を実現するためのプログラムを記憶する。
【００１２】
有線通信インタフェース１０４は、モデム（図示せず）およびゲートウェイ（図示せず）を有し、制御対象機器と信号線（図示せず）を介して接続されている。表示インタフェース１０５は、表示モジュール１２を駆動する駆動部（図示せず）を有し、前述の配線（図示せず）を介して表示モジュール１２に接続されている。操作部１０６は、筐体２の底壁２１に設けられた操作釦２１ｂに対向する部位に設けられた釦スイッチ（図示せず）を有し、押下された操作釦２１ｂに対応する操作情報を、バス１０９を介してＭＰＵ１０１へ転送する。
【００１３】
無線モジュール１０７は、例えば無線ＬＡＮ規格に適合する通信方式で周囲に設置されたアクセスポイント（図示せず）との間で通信を実行する。音声通話インタフェース１０８は、スピーカ４およびマイクロフォン５に接続されている。音声通話インタフェース１０８は、ＭＰＵ１０１から入力される音声情報を音声信号に変換してスピーカ４へ出力する。また、音声通話インタフェース１０８は、マイクロフォン５から入力される音声信号を音声情報に変換してバス１０９を介してＭＰＵ１０１へ出力する。
【００１４】
ＭＰＵ１０１は、補助記憶部１０３が記憶するプログラムを主記憶部１０２に読み出して実行することにより、制御情報生成部１１１、表示制御部１１２、有線通信制御部１１３、音声通話制御部１１４、無線通信制御部１１５および機能切替部１１６として機能する。
【００１５】
制御情報生成部１１１は、操作部１０６から入力される操作情報に基づいて、制御対象機器を制御するための制御情報を生成する。そして、制御情報生成部１１１は、生成した制御情報を有線通信制御部１１３または無線通信制御部１１５へ通知する。表示制御部１１２は、制御情報生成部１１１が生成した制御情報に基づいて、制御対象機器の運転状況を示す画面または操作画面を示す画像情報を生成して表示インタフェース１０５へ出力する。ここで、表示インタフェース１０５の駆動部は、表示制御部１１２から画像情報が入力されると、入力された画像情報に基づいて表示モジュール１２を駆動する。
【００１６】
音声通話制御部１１４は、音声通話インタフェース１０８から入力される音声情報を有線通信制御部１１３または無線通信制御部１１５へ通知する。また、音声通話制御部１１４は、有線通信制御部１１３または無線通信制御部１１５から通知される音声情報を音声通話インタフェース１０８へ出力する。ここで、音声通話インタフェース１０８は、音声通話制御部１１４から音声情報が入力されると、入力された音声情報を音声信号に変換してスピーカ４へ出力する。
【００１７】
有線通信制御部１１３は、制御情報生成部１１１から通知される制御情報または音声通話制御部１１４から通知される音声情報を、有線通信インタフェース１０４へ出力する。そして、有線通信制御部１１３は、有線通信インタフェース１０４を制御して、有線通信インタフェース１０４へ入力される制御情報を制御信号に変換して制御対象機器へ送信する。或いは、有線通信制御部１１３は、有線通信インタフェース１０４を制御して、有線通信インタフェース１０４へ入力される音声情報を音声情報信号に変換して他の制御装置（図示せず）へ送信する。
【００１８】
無線通信制御部１１５は、制御情報生成部１１１から通知される制御情報または音声通話制御部１１４から通知される音声情報を、無線モジュール１０７へ出力する。そして、無線通信制御部１１５は、無線モジュール１０７を制御して、無線モジュール１０７へ入力される制御情報を制御信号に変換してアクセスポイントへ無線送信する。或いは、無線通信制御部１１５は、無線モジュール１０７を制御して、無線モジュール１０７へ入力される音声情報を音声情報信号に変換してアクセスポイントへ無線送信する。
【００１９】
機能切替部１１６は、２つの釦スイッチ１４、１５のオンオフ状態に応じて制御ユニット１の音声通話機能と無線通信機能とを有効な状態と無効な状態とのいずれかに切り替える。機能切替部１１６は、釦スイッチ１４がオン状態の場合、ＭＰＵ１０１を音声通話制御部１１４として機能させることにより、制御ユニット１を音声通話インタフェース１０８により音声情報の処理が可能な状態にする。一方、機能切替部１１６は、釦スイッチ１４がオフ状態の場合、音声通話制御部１１４の機能を停止させる。また、機能切替部１１６は、釦スイッチ１５がオン状態の場合、ＭＰＵ１０１を無線通信制御部１１５として機能させることにより、制御ユニット１を無線モジュール１０７によりアクセスポイントとの無線通信が可能な状態にする。一方、機能切替部１１６は、釦スイッチ１５がオフ状態の場合、無線通信制御部１１５の機能を停止させる。
【００２０】
図１に戻って、筐体２は、扁平な矩形箱状であり、矩形板状の底壁２１と底壁２１の周縁から後面側へ延出する側壁２２と、を有する。筐体２の材料は、例えば樹脂である。底壁２１における表示モジュール１２に対応する位置には、平面視矩形状の開口部２１ａが設けられている。これにより、表示モジュール１２に表示される画像が、筐体２の前面側から視認可能となっている。また、底壁２１の下端部には、スピーカ４とマイクロフォン５とが固定されている。そして、底壁２１におけるスピーカ４に対応する部位には、スピーカ４から出力される音声を筐体２外へ透過させるための貫通孔２１ｄが設けられている。また、底壁２１におけるマイクロフォン５に対応する部位には、筐体２外からマイクロフォン５へ音声を入力するための貫通孔２１ｅが設けられている。また、図４（Ａ）に示すように、筐体２の底壁２１の後面側には、スピーカ４の位置決め用の環状のリブ２１３と、マイクロフォン５の位置決め用の環状のリブ２１４と、が突設されている。そして、底壁２１の後面側におけるリブ２１３、２１４の上側に、平面視矩形状の第２サブ制御基板６が固定されている。第２サブ制御基板６は、第２サブ制御基板６に設けられた配線（図示せず）に接続されたコネクタ６１を有する。コネクタ６１は、筐体２がベース部材３に固定された状態で、第１サブ制御基板１１のコネクタ１６に接続される位置に配置されている。
【００２１】
筐体２の底壁２１における２つの釦スイッチ１４、１５に対向する位置には、それぞれ突起２１１、２１２が設けられている。突起２１１、２１２は、図４（Ｂ）に示すように、筐体２がベース部材３に固定された状態で先端部が釦スイッチ１４、１５を押下している。ここで、釦スイッチ１４、１５は、それぞれ、Ｙ軸方向に摺動自在である可動部１４１、１５１と、可動部１４１、１５１の−Ｙ方向側の端部に設けられた可動接点１４ａ、１５ａと、固定接点１４ｂ、１５ｂと、を有する。可動部１４１、１５１は、それぞれ付勢部材（図示せず）により＋Ｙ方向側へ付勢されている。そして、筐体２がベース部材３に固定された状態では、突起２１１、２１２の先端部が可動部１４１、１５１を押下して可動接点１４ａ、１５ａが固定接点１４ｂ、１５ｂに接触し、釦スイッチ１４、１５がオン状態となる。釦スイッチ１４がオン状態になると、音声通話インタフェース１０８へ電力が供給されるとともに、機能切替部１１６がＭＰＵ１０１を音声通話制御部１１４として機能させる。これにより、制御ユニット１は、音声通話インタフェース１０８により音声情報の処理が可能な状態となる。また、釦スイッチ１５がオン状態になると、無線モジュール１０７へ電力が供給されるとともに、機能切替部１１６がＭＰＵ１０１を無線通信制御部１１５として機能させる。これにより、制御ユニット１は、無線モジュール１０７によりアクセスポイントとの無線通信が可能な状態となる。
【００２２】
また、本実施の形態に係る制御装置１００では、筐体２の代わりに、図５（Ａ）に示すような筐体２００２を採用することができる。筐体２００２は、底壁２１に突起２１１のみが設けられており、突起２１２が無い点で筐体２と相違する。なお、図５（Ａ）において筐体２と同様の構成は図４（Ａ）と同一の符号を付している。図５（Ｂ）に示すように、筐体２００２がベース部材３に固定された状態で、突起２１１の先端部が釦スイッチ１４を押下している。ここで、釦スイッチ１５は、押下されていない状態となっている。そして、突起２１１の先端部が可動部１４１を押下して可動接点１４ａが固定接点１４ｂに接触し、釦スイッチ１４がオン状態となっている。一方、釦スイッチ１５は、可動接点１５ａが固定接点１５ｂと接触しておらず、オフ状態となっている。この場合、音声通話インタフェース１０８へ電力が供給されるとともに、機能切替部１１６がＭＰＵ１０１を音声通話制御部１１４として機能させる。一方、無線モジュール１０７へ電力供給が遮断され、機能切替部１１６がＭＰＵ１０１の無線通信制御部１１５の機能を停止させる。これにより、制御ユニット１は、音声通話インタフェース１０８により音声情報の処理が可能であるが、無線モジュール１０７によるアクセスポイントとの無線通信が不可能な状態となる。
【００２３】
また、本実施の形態に係る制御装置１００では、筐体２の代わりに、図６（Ａ）に示すような筐体３００２を採用することができる。筐体３００２は、底壁２１に突起２１２のみが設けられており、突起２１１が無い点で筐体２と相違する。なお、図６（Ａ）において筐体２と同様の構成は図４（Ａ）と同一の符号を付している。図６（Ｂ）に示すように、筐体３００２がベース部材３に固定された状態で、突起２１２の先端部が釦スイッチ１５を押下している。ここで、釦スイッチ１４は、押下されていない状態となっている。そして、突起２１２の先端部が可動部１５１を押下して可動接点１５ａが固定接点１５ｂに接触し、釦スイッチ１５がオン状態となっている。一方、釦スイッチ１４は、可動接点１４ａが固定接点１４ｂと接触しておらず、オフ状態となっている。この場合、無線モジュール１０７へ電力が供給されるとともに、機能切替部１１６がＭＰＵ１０１を無線通信制御部１１５として機能させる。一方、音声通話インタフェース１０８への電力供給が遮断され、機能切替部１１６がＭＰＵ１０１の音声通話制御部１１４の機能を停止させる。これにより、制御ユニット１は、無線モジュール１０７によりアクセスポイントとの無線通信が可能であるが、音声通話インタフェース１０８による音声情報の処理が不可能な状態となる。
【００２４】
また、本実施の形態に係る制御装置１００では、筐体２の代わりに、図７（Ａ）に示すような筐体４００２を採用することができる。筐体４００２は、底壁２１に突起２１１、２１２が無い点で筐体２と相違する。なお、図７（Ａ）において筐体２と同様の構成は図４（Ａ）と同一の符号を付している。図７（Ｂ）に示すように、筐体４００２がベース部材３に固定された状態で、釦スイッチ１４、１５の両方が、押下されていない状態となっている。そして、釦スイッチ１４、１５の両方が、それぞれ可動接点１４ａ、１５ａが固定接点１４ｂ、１５ｂと接触しておらず、オフ状態となっている。この場合、音声通話インタフェース１０８への電力供給が遮断されるとともに無線モジュール１０７へ電力供給も遮断され、機能切替部１１６がＭＰＵ１０１の音声通話制御部１１４の機能と無線通信制御部１１５の機能との両方を停止させる。これにより、制御ユニット１は、音声通話インタフェース１０８による音声情報の処理が不可能であり、且つ、無線モジュール１０７によるアクセスポイントとの無線通信も不可能な状態となる。
【００２５】
次に、本実施の形態に係る制御ユニット１が実行する初期設定処理について図８を参照しながら説明する。この初期設定処理は、ベース部材３に制御ユニット１とともに筐体２、２００２、３００２、４００２を固定した後、電源釦２１ｃを押下することにより制御ユニット１へ電源が投入されたことを契機として開始される。まず、機能切替部１１６は、音声通話機能切替用の釦スイッチ１４がオン状態であるか否かを判定する（ステップＳ１０１）。機能切替部１１６は、釦スイッチ１４がオン状態であると判定すると（ステップＳ１０１：Ｙｅｓ）、音声通話制御部１１４を起動させる（ステップＳ１０２）。一方、機能切替部１１６は、釦スイッチ１４がオフ状態であると判定すると（ステップＳ１０１：Ｎｏ）、音声通話制御部１１４の機能を停止状態にする（ステップＳ１０３）。
【００２６】
次に、機能切替部１１６は、無線通信機能切替用の釦スイッチ１５がオン状態であるか否かを判定する（ステップＳ１０４）。機能切替部１１６は、釦スイッチ１５がオン状態であると判定すると（ステップＳ１０４：Ｙｅｓ）、無線通信制御部１１５を起動させる（ステップＳ１０５）。一方、機能切替部１１６は、釦スイッチ１５がオフ状態であると判定されると（ステップＳ１０４：Ｎｏ）、無線通信制御部１１５の機能を停止状態にする（ステップＳ１０６）。
【００２７】
制御ユニット１は、この初期設定処理が完了した後、音声通話制御部１１４の機能を有効または無効にし、且つ、無線通信制御部１１５の機能を有効または無効にした状態で処理を実行する。
【００２８】
以上説明したように、本実施の形態に係る制御装置１００では、機能切替部１１６が、２つの釦スイッチ１４、１５のオンオフ状態に応じて制御ユニット１の音声通話機能と無線通信機能とを有効な状態と無効な状態とのいずれかに切り替える。これにより、制御装置１００に要求される機能に応じて、筐体２に筐体２がベース部材３に固定された状態で釦スイッチ１４、１５を押下する突起２１１、２１２を設けることにより、制御装置１００に要求される音声通話機能または無線通信機能を選択的に有効にすることができる。従って、筐体２を例えば突起２１１、２１２の少なくとも一方が無い筐体２００２、３００２、４００２に変更するだけで、例えば音声通話機能と無線通信機能との少なくとも１つが無い機器の制御に容易に適用することができる。
【００２９】
また、本実施の形態に係る制御装置１００では、例えば筐体２を筐体２００２、３００２、４００２のいずれかに変更するだけで、制御装置１００の機能を変更することができる。従って、例えば機能の異なる複数の制御装置を壁面に配置する場合に比べて壁面の外観を整然としたものにすることができる。更に、制御装置１００の機能を変更する際、制御装置１００全体を交換する場合に比べて、導入コストを削減することができる。また、制御装置１００を設置するユーザにとって、制御装置１００の機能を変更する際に再配線、設定の変更等の作業が不要となるので、制御装置１００の設置時におけるユーザの作業負荷が軽減される。
【００３０】
以上、本発明の実施の形態について説明したが、本発明は実施の形態によって限定されるものではない。例えば、図９に示すように、筐体５００２の底壁２１に固定された第２サブ制御基板５００６における後面側の釦スイッチ１４、１５に対向する位置に、突起５２１１、５２１２が設けられているものであってもよい。なお、図９において実施の形態と同様の構成については図４（Ａ）と同一の符号を付している。ここで、筐体５００２がベース部材３に固定された状態で、突起５２１１、５２１２の先端部が釦スイッチ１４、１５を押下する。
【００３１】
本構成によれば、筐体５００２に突起を設ける必要がないので、筐体５００２の構造を簡素化することができる。また、釦スイッチ１４、１５を有する第１サブ制御基板１１に対応していない筐体５００２について、釦スイッチ１４、１５を押下する機能のレトロフィットが可能となるという利点がある。また、第２サブ制御基板５００６の固定位置を適宜変更するだけで、釦スイッチ１４、１５のオンオフ状態を制御することができるので、機能の異なる複数種類の制御装置について第２サブ制御基板５００６の共通化を図ることができる。
【００３２】
実施の形態では、第１サブ制御基板１１に２つの釦スイッチ１４、１５が設けられた構成について説明したが、釦スイッチ１４，１５が第１サブ制御基板１１に設けられる構成に限定されるものではない。例えば、図１０に示すように、筐体６００２の底壁２１に固定された第２サブ制御基板６００６に２つの釦スイッチ６０１４、６０１５が設けられたものであってもよい。なお、図１０において実施の形態と同様の構成については図４（Ａ）と同一の符号を付している。この場合、例えばベース部材３における釦スイッチ６０１４、６０１５の少なくとも一方に対向する位置に、筐体６００２がベース部材３に固定された状態で先端部が釦スイッチ６０１４、６０１５のいずれかを押下する突起（図示せず）を設ければよい。或いは、第１サブ制御基板１１の前面側の釦スイッチ６０１４、６０１５のいずれかに対向する位置に、筐体６００２がベース部材３に固定された状態で先端部が釦スイッチ６０１４、６０１５のいずれかを押下する突起（図示せず）を設けてもよい。
【００３３】
本構成によれば、第１サブ制御基板１１に釦スイッチを設ける必要が無くなるので、その分、第１サブ制御基板１１の構成の簡素化を図ることができる。
【００３４】
実施の形態では、制御ユニット１が２つの釦スイッチ１４、１５を備える例について説明したが、釦スイッチの数は２つに限定されるものではない。例えば釦スイッチの数が１つであってもよいし、或いは、３つ以上であってもよい。釦スイッチの数が３つ以上の場合、制御ユニットは、３つ以上の互いに異なる機能それぞれを有効または無効にして動作することが可能となる。
【００３５】
また、本発明に係る制御ユニット１の各種機能は、ソフトウェア、ファームウェア、またはソフトウェアとファームウェアとの組み合わせにより実現されてもよい。この場合、ソフトウェアまたはファームウェアは、プログラムとして記述され、補助記憶部１０３に記憶される。また、本発明に係る制御ユニット１の各種機能は、専用のシステムによらず、コンピュータシステムを用いて実現可能である。例えば、ネットワークに接続されているコンピュータに、上記動作を実行するためのプログラムを、コンピュータシステムが読み取り可能な非一時的な記録媒体（フレキシブルディスク、ＣＤ−ＲＯＭ（Compact Disc Read−Only Memory）、ＤＶＤ（Digital Versatile Disc）、ＭＯ（Magneto−Optical Disc）等）に格納して配布し、当該プログラムをコンピュータシステムにインストールすることにより、上述の処理を実行する制御ユニット１を構成してもよい。
【００３６】
また、コンピュータにプログラムを提供する方法は任意である。例えば、プログラムは、通信回線のサーバにアップロードされ、通信回線を介してコンピュータに配信されてもよい。そして、コンピュータは、このプログラムを起動して、ＯＳ（Operating System）の制御の下、他のアプリケーションと同様に実行する。これにより、コンピュータは、上述の処理を実行する制御ユニット１として機能する。
【００３７】
以上、本発明の各実施の形態および変形例（なお書きに記載したものを含む。以下、同様。）について説明したが、本発明はこれらに限定されるものではない。本発明は、実施の形態及び変形例が適宜組み合わされたもの、それに適宜変更が加えられたものを含む。
【産業上の利用可能性】
【００３８】
本発明は、空気調和機、インターホン等の家電機器を制御するリモートコントローラとして好適である。
【符号の説明】
【００３９】
１  制御ユニット、２，２００２，３００２，４００２，５００２，６００２  筐体、３  ベース部材、４  スピーカ、５  マイクロフォン、６  第２サブ制御基板、１０，５００６，６００６  制御基板、１１  第１サブ制御基板、１２  表示モジュール、１４,１５,６０１４，６０１５  釦スイッチ、１４ａ，１５ａ  可動接点、１４ｂ，１５ｂ  固定接点、１６，６１  コネクタ、２１  底壁、２１ａ  開口部、２１ｂ  操作釦、２１ｃ  電源ボタン、２１ｄ，２１ｅ  貫通孔、２２  側壁、２２ａ  端部、１００  制御装置、１０１  ＭＰＵ、１０２  主記憶部、１０３  補助記憶部、１０４  有線通信インタフェース、１０５  表示インタフェース、１０６  操作部、１０７  無線モジュール、１０８  音声通話インタフェース、１０９  バス、１１１  制御情報生成部、１１２  表示制御部、１１３  有線通信制御部、１１４  音声通話制御部、１１５  無線通信制御部、１１６  機能切替部、１４１，１５１  可動部、２１１，２１２，５２１１，５２１２  突起、２１３，２１４  リブ、１０１０  釦スイッチインタフェース
【図１】
2019201267.tif 000003
【図２】
2019201267.tif 000004
【図３】
2019201267.tif 000005
【図４】
2019201267.tif 000006
【図５】
2019201267.tif 000007
【図６】
2019201267.tif 000008
【図７】
2019201267.tif 000009
【図８】
2019201267.tif 000010
【図９】
2019201267.tif 000011
【図１０】
2019201267.tif 000012